(57)【特許請求の範囲】
【請求項１】
第１開口を有する本体と、
前記本体内に脱着可能に設置される消耗品と、
前記本体に回転可能に取り付けられ、前記第１開口を開閉するドアと、
前記本体上に取り付けられ、前記ドアが閉じる時に前記消耗品を定位置に固定するように前記ドアと連動して移動するように構成されたロッキング部材と、
前記本体に移動可能に設置され、前記ドアが開く時には前記開口側に移動し、前記ドアが閉じる時には前記開口から遠ざかる方向に移動するように、前記ドアと連動して移動するように構成されたスライドバーと、
前記消耗品の下部に配置され、上面に光窓が形成されている露光ユニットと、
前記スライドバーに設置され、前記スライドバーと一緒に、前記光窓を覆う第１位置及び前記光窓を覆わない第２位置に移動する光窓カバーと、を備え、
前記ロッキング部材は、前記スライドバーに回転可能に設置され、固定位置と固定解除位置との間を前記スライドバーと一緒に移動し、前記ドアが閉じるときには固定位置にあり、前記ドアが開くときには固定解除位置にあり、消耗品と相互作用して消耗品が動くのを防止するように構成され、更に、固定解除位置では消耗品が動くのを許容するように構成されることを特徴とする画像形成装置。
【請求項２】
前記スライドバーの第１端部は、弾性部材によって前記開口側に弾性的に加圧され、前記スライドバーの第２端部は、前記ドアに取り付けられている加圧バーに支持されることを特徴とする請求項１に記載の画像形成装置。
【請求項３】
前記ロッキング部材は、前記スライドバーに回転可能に設置されるヒンジ部によって連結され、互いに角度を形成する１対の係止部材を含むことを特徴とする請求項１に記載の画像形成装置。
【請求項４】
前記本体に配置され、前記スライドバーが前記開口に近づくか遠ざかる方向に移動することによって前記１対の係止部材のいずれか一つと相互作用するように位置し、前記ロッキング部材が回転するようにする係合突起を更に備えることを特徴とする請求項３に記載の画像形成装置。
【請求項５】
前記係合突起は、前記露光ユニットの上側を覆うカバープレートの両側から突出する１対の係合突起からなることを特徴とする請求項１に記載の画像形成装置。
【請求項６】
前記消耗品は、表面に静電潜像が形成される感光体ドラムを備えた感光体カートリッジを含むことを特徴とする請求項１に記載の画像形成装置。
【請求項７】
第２開口を有する本体と、
前記本体に移動可能に設置され、前記第２開口を通って前記本体の内側及び外側に移動する給紙引き出しと、
前記本体内に着脱可能に設置される消耗品と、
前記本体内に取り付けられ、前記給紙引き出しが前記本体の内側に移動するときに前記消耗品を定位置に固定するように、前記給紙引き出しと連動して移動するように構成されたロッキング部材と、を備えることを特徴とする画像形成装置。
【請求項８】
前記本体に移動可能に設置され、前記給紙引き出しが前記本体内に移動する時には前記第２開口側に移動し、前記本体が前記本体の外側に移動する時には前記第２開口から遠ざかる方向に移動するように、前記給紙引き出しと連動して移動するように構成されたスライドバーを更に備えてなり、
前記ロッキング部材は、前記スライドバーに回転可能に設置され、固定位置と固定解除位置との間を前記スライドバーと一緒に移動し、前記給紙引き出しが前記本体内に在るときには固定位置となり、前記給紙引き出しが一部でも前記本体の外側に在るときには固定解除位置となり、消耗品が動くのを防止するように消耗品と相互作用するように構成され、更に、固定解除位置では消耗品が動くのを許容するように構成されることを特徴とする請求項７に記載の画像形成装置。
【請求項９】
前記スライドバーの第１端部は、弾性部材によって前記開口側に弾性的に加圧され、前記スライドバーの第２端部は、前記給紙引き出しから突出している加圧突起に支持されることを特徴とする請求項８に記載の画像形成装置。
【請求項１０】
前記ロッキング部材は、前記スライドバーに回転可能に設置されるヒンジ部によって連結され、互いに角度を形成する１対の係止部材を含むことを特徴とする請求項８に記載の画像形成装置。
【請求項１１】
前記本体内に配置され、前記スライドバーが前記第２開口に近づくか遠ざかる方向に移動することによって前記１対の係止部材のいずれか一つと相互作用するように位置し、前記ロッキング部材が回転するようにする係合突起を更に含むことを特徴とする請求項１０に記載の画像形成装置。
【請求項１２】
前記消耗品は、表面に静電潜像が形成される感光体ドラムを備えた感光体カートリッジを含むことを特徴とする請求項７に記載の画像形成装置。
【請求項１３】
着脱可能に取り付けられた消耗部品を備えて動作可能な画像形成装置であって、
前記着脱可能に装着された消耗部品が前記画像形成装置の画像形成動作中に位置する消耗部品装着位置を含む画像形成装置の内部領域を限定し、また、前記内部領域へ使用者がアクセスできるように開口を有する主筐体と、
前記開口を開閉するように前記主筐体に取り付けられるアクセスドアと、
前記内部領域に移動可能に取り付けられ、少なくとも固定位置と固定解除位置との間を前記アクセスドアと連動して移動し、前記ドアが閉じるときには固定位置にあり、前記ドアが開くときには固定解除位置にあり、固定位置では、着脱可能に取り付けられた消耗部品と相互作用し、前記着脱可能に取り付けられた消耗部品が前記消耗部品装着位置から動くのを防止するように構成され、更に、固定解除位置では、前記着脱可能に取り付けられた消耗部品が前記消耗部品装着位置から動くのを許容するように構成される少なくとも一つのロッキング部材と、
前記アクセスドアと連動して移動するように構成され、前記ドアが閉じるときには前記開口から遠ざかる第１方向に移動し、前記ドアが開くときには前記第１方向と反対の第２方向に移動する少なくとも一つの第１移動可能部材と、
前記少なくとも一つの第１移動可能部材の一端に配置され、前記少なくとも一つの第１移動可能部材を加圧して前記第１方向に移動させるように構成された弾性部材と、
光窓を通じて光を照射するように構成された光源と、
前記少なくとも一つの第１移動可能部材上に取り付けられ、前記少なくとも一つの第１移動可能部材と一緒に移動して前記光窓を覆い、前記アクセスドアが開くときに前記光源によって照射される光を遮蔽するように構成された光窓カバーと、を備え、
前記少なくとも一つのロッキング部材は、前記少なくとも一つの第１移動可能部材に回転可能に取り付けられることを特徴とする画像形成装置。
【請求項１４】
前記少なくとも一つのロッキング部材は、互いに角度をもって延びてＶ字状を形成する１対のアームを備え、前記１対のアームが互いに結合する前記ロッキング部材の部分に位置する回転軸に対して回転するように構成され、固定位置では、前記１対のアームの少なくとも一つが、前記着脱可能に取り付けられた消耗部品の移動経路に垂直に延在して接触し、前記着脱可能に取り付けられた消耗部品が前記消耗部品装着位置から動くのを防止するように回転し、固定解除位置では、前記１対のアームのいずれも、前記着脱可能に取り付けられた消耗部品の移動経路に延在しないように回転することを特徴とする請求項１３に記載の画像形成装置。
【請求項１５】
前記光窓と接するように前記光窓カバーに配置され、前記光窓カバーが前記第１及び第２方向に移動するときに前記光窓をブラシングする掃除ブラシを更に備えることを特徴とする請求項１３に記載の画像形成装置。
【請求項１６】
前記開口は、前記着脱可能に取り付けられる消耗部品にアクセスできる前記内部領域内の位置に使用者がアクセスできるようにするアクセス開口からなり、
前記アクセスドアは、旋回して開閉されるように前記主筐体にヒンジ装着され、また、前記少なくとも一つの第１移動可能部材と接するように構成された少なくとも一つの加圧バーを有し、前記アクセスドアが開く位置から閉じる位置に旋回するときに、前記少なくとも一つの第１移動可能部材を前記第１方向に押すことを特徴とする請求項１３に記載の画像形成装置。
【請求項１７】
内部に用紙を保持する収納領域を有する給紙引き出しを更に備えてなり、
前記開口は、前記内部領域内に設置される前記給紙引き出しに対応する給紙引き出し開口からなり、
前記アクセスドアは前記給紙引き出しの少なくとも一部からなり、前記給紙引き出しは、前記給紙引き出し開口を通じて前記内部領域の内側及び外側にスライドするように構成され、前記給紙引き出しが一部でも前記内部領域の外側に位置すると、前記アクセスドアは開く位置にあり、前記給紙引き出しは、前記給紙引き出しの上部から上方に突出形成され、前記第１移動可能部材と接触し、前記給紙引き出しが前記内部領域にスライドするときに前記少なくとも一つの第１移動可能部材を第１方向に押す少なくとも一つの加圧突起を有することを特徴とする請求項１３に記載の画像形成装置。
【発明の詳細な説明】
【技術分野】
【０００１】
本発明は画像形成装置に係り、より詳細には、着脱可能な感光体カートリッジなどの消耗品を有する画像形成装置に関する。
【背景技術】
【０００２】
画像形成装置とは、画像信号に基づいて、例えば印刷媒体として機能する用紙に画像を印刷する装置のことをいう。かかる画像形成装置では、所定電位で帯電されている感光体ドラムにレーザービームを照射し、その外周面に静電潜像を形成し、静電潜像を現像剤によって可視画像に現像した後、これを用紙に転写及び定着し、画像を印刷する。
【０００３】
従来の画像形成装置は、韓国特許公開１０−２００５−１１０２２４号に開示されているように、外観を形成する本体と、用紙に画像を現像する現像ユニットなどの構成を含んでなるもので、現像ユニットは、例えば、レーザービームを発生させるレーザーダイオードを有する一つ以上の露光ユニットと、露光ユニットから照射されたレーザービームにより表面に静電潜像が形成される感光体ドラムを有する感光体カートリッジと、感光体ドラムを帯電させる帯電ローラと、現像剤によって静電潜像を可視画像に現像する現像カートリッジと、感光体ドラムに形成された可視画像を用紙に転写する転写ユニットと、用紙に転写された可視画像を加熱・加圧して可視画像を定着させる定着ユニットと、を含む。
【０００４】
【特許文献１】大韓民国特許公開第１０−２００５−１１０２２４号公報
【発明の開示】
【発明が解決しようとする課題】
【０００５】
感光体カートリッジのような消耗品は本体に脱着可能に設置され、使い果たされた場合などに入れ替えられるが、このような消耗品が脱着可能に設置されている画像形成装置を、車両などを用いて運搬する場合、運送中に画像形成装置に伝えられる振動によって消耗品が本体の定位置から離れ、損傷される恐れがあった。
【０００６】
そこで、従来は、運搬のための包装に当たり、詰め物などを本体に挿入し、画像形成装置の本体内部で消耗品が移動するのを防止してきた。その後、使用位置に画像形成装置が到着すると、詰め物は除去される。かかる詰め物は、動作上、画像形成装置の部品として使用されないが、パッキング材として製造及び／または購入して使用されなければならない。なお、この詰め物は本体から除去され、使用前に廃棄される必要がある。したがって、使用者に不便をきたすほか、資源の浪費を招くという問題点があった。
【０００７】
そこで、本発明は、上記問題に鑑みてなされたものであり、本発明の目的とするところは、着脱自在に設置される感光体カートリッジなどの消耗品が、画像形成装置の運搬中に損傷する危険性を低減することが可能な、新規かつ改良された画像形成装置を提供することにある。
【課題を解決するための手段】
【０００８】
上記課題を解決するために、本発明のある観点によれば、第１開口を有する本体と、前記本体内に脱着可能に設置される消耗品と、前記本体に回転可能に取り付けられ、前記第１開口を開閉するドアと、前記本体上に取り付けられ、前記ドアが閉じる時に前記消耗品を定位置に固定するように前記ドアと連動して移動するように構成されたロッキング部材と、前記本体に移動可能に設置され、前記ドアが開く時には前記開口側に移動し、前記ドアが閉じる時には前記開口から遠ざかる方向に移動するように、前記ドアと連動して移動するように構成されたスライドバーと、前記消耗品の下部に配置され、上面に光窓が形成されている露光ユニットと、前記スライドバーに設置され、前記スライドバーと一緒に、前記光窓を覆う第１位置及び前記光窓を覆わない第２位置に移動する光窓カバーと、を備え、前記ロッキング部材は、前記スライドバーに回転可能に設置され、固定位置と固定解除位置との間を前記スライドバーと一緒に移動し、前記ドアが閉じるときには固定位置にあり、前記ドアが開くときには固定解除位置にあり、消耗品と相互作用して消耗品が動くのを防止するように構成され、更に、固定解除位置では消耗品が動くのを許容するように構成されることを特徴とする画像形成装置が提供される。
【００１０】
また、開口からより遠くにあるスライドバーの一端は、弾性部材により第１開口側に弾性加圧され、スライドバーの他端は、ドアに回転可能に設置されている加圧バーに支持されることができる。
【００１１】
また、ロッキング部材は、互いに角度を形成する１対の係止部材と、係止部材を連結し、各スライドバーに回転可能に設置されるヒンジ部とを含むことができる。
【００１２】
また、上記画像形成装置は、スライドバーの第１及び第２方向への後進及び前進移動によって１対の係止部材のいずれか一つと係合し、ロッキング部材が回転するようにする係合突起をさらに含むことを特徴とする。
【００１４】
また、係合突起は、露光ユニットの上側を覆うカバープレートの両側から突出して形成されることができる。
【００１５】
また、消耗品は、表面に静電潜像が形成される感光体ドラムを備えた感光体カートリッジを含むことを特徴とする。
【００１６】
また、上記課題を解決するために、本発明の別の観点によれば、第２開口を有する本体と、第２開口を通って本体の内側及び外側に移動する給紙引き出しと、本体内に着脱可能に設置される消耗品と、給紙引き出しが本体内に移動するときに消耗品を定位置に固定するロッキング部材とを含むことを特徴とする画像形成装置が提供される。
【００１７】
また、本体には、給紙引き出しが本体の内側及び外側に移動することによって第１及び第２方向に移動するようにスライドバーが設置されることができ、ロッキング部材は、スライドバーに回転可能に設置され、スライドバーが第１及び第２方向へと前進及び後進することによって消耗品を固定／固定解除することができる。
【００１８】
また、第２開口からより遠くにあるスライドバーの一端は、弾性部材により第２開口側に弾性加圧され、スライドバーの他端は、給紙引き出しから突出した加圧突起に支持されることができる。
【００１９】
また、上記課題を解決するために、本発明の別の観点によれば、着脱可能に取り付けられた消耗部品を備えて動作可能な画像形成装置であって、前記着脱可能に装着された消耗部品が前記画像形成装置の画像形成動作中に位置する消耗部品装着位置を含む画像形成装置の内部領域を限定し、また、前記内部領域へ使用者がアクセスするようにする開口を有する主筐体と、前記開口を開閉するように前記主筐体に取り付けられるアクセスドアと、前記内部領域に移動可能に取り付けられ、少なくとも固定位置と固定解除位置との間を前記アクセスドアと連動して移動し、前記ドアが閉じるときには固定位置にあり、前記ドアが開くときには固定解除位置にあり、固定位置では、着脱可能に取り付けられた消耗部品と相互作用し、前記着脱可能に取り付けられた消耗部品が消耗部品装着位置から動くのを防止するように構成され、更に、固定解除位置では、前記着脱可能に取り付けられた消耗部品が前記消耗部品装着位置から動くのを許容するように構成される少なくとも一つのロッキング部材と、前記アクセスドアと連動して移動するように構成され、前記ドアが閉じるときには前記開口から遠ざかる第１方向に移動し、前記ドアが開くときには前記第１方向と反対の第２方向に移動する少なくとも一つの第１移動可能部材と、前記少なくとも一つの第１移動可能部材の一端に配置され、前記少なくとも一つの第１移動可能部材を加圧して前記第１方向に移動させるように構成された弾性部材と、光窓を通じて光を照射するように構成された光源と、前記少なくとも一つの第１移動可能部材上に取り付けられ、前記少なくとも一つの第１移動可能部材と一緒に移動して前記光窓を覆い、前記アクセスドアが開くときに前記光源によって照射される光を遮蔽するように構成された光窓カバーと、を備え、前記少なくとも一つのロッキング部材は、前記少なくとも一つの第１移動可能部材に回転可能に取り付けられることを特徴とする画像形成装置が提供される。
【発明の効果】
【００２０】
本発明によれば、ドアが閉じると感光体カートリッジなどの消耗品がロッキング部材により支持されて固定されるようになっているため、運搬中に発生しうる消耗品の動きをロッキング部材により防止でき、その結果、運搬中に消耗品の固定のために挿入されてきた詰め物を省くことができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
まず、本発明の第１の実施形態に係る画像形成装置ついて説明する。本実施形態の画像形成装置は、図１に示すように、外観及び／または内部領域を形成し、その内部に各種部品を収容、封入及び／または支持する本体１０と、印刷媒体、例えば、用紙を供給する給紙ユニット２０と、用紙に画像を現像する現像ユニット３０と、用紙に熱と圧力を加えて画像を用紙に固着させる定着ユニット４０と、印刷済みの用紙を本体１０の外部に排出する排紙ユニット５０などを備える。
【００２３】
図１に示す本実施形態において、給紙ユニット２０は、内部に用紙が積載される給紙トレー２１ａを有する給紙引き出し２１と、給紙トレー２１ａから用紙を、例えば１回に１枚ピックアップするピックアップローラ２２と、ピックアップされた用紙を現像ユニット３０側に移動させる移送ローラ２３などを備える。
【００２４】
現像ユニット３０は、画像情報によってレーザービームを照射する露光ユニット３１と、露光ユニット３１により表面に静電潜像が形成される感光体ドラム３２ａ及び感光体ドラム３２ａを帯電させる帯電ローラ３２ｂを有する感光体カートリッジ３２を含む。単一現像カートリッジは単色印刷、つまり、黒白印刷に十分である。また、本実施形態では、感光体ドラム３２ａに形成された静電潜像を、イエロー（Ｙｅｌｌｏｗ）、マゼンタ（Ｍａｇｅｎｔａ）、シアン（Ｃｙａｎ）、ブラック（Ｂｌａｃｋ）の色を有する現像剤を用いて可視画像に現像する４個の現像カートリッジ３３を示した。
【００２５】
本実施形態の画像形成装置は、中間転写ベルト３４、第１転写ローラ３５及び第２転写ローラ３６をさらに備える。なお、感光体カートリッジ３２と現像カートリッジ３３のような消耗品は、本体１０に脱着可能に設置され、交換可能になっている。交換にあたり、本体１０の第１開口１０ａは、本体１０に形成された内部空間へのアクセスを可能にし、感光体カートリッジ３２及び／または現像カートリッジ３３の本体１０への着脱を可能にする。なお、本体１０の前側には、例えば下部が、例えばヒンジに対して回転し、第１開口１０ａを開閉するアクセスドア６０が取り付けられる。
【００２６】
露光ユニット３１は、内部にレーザービームを放射するレーザーダイオード（図示せず。）と、レーザーダイオードからレーザービームを感光体ドラム３２ａに向かわせるポリゴンミラー（図示せず。）などを備えてなり、露光ユニット３１の上面には、ポリゴンミラーからレーザービームが通過し、感光体ドラム３２ａに伝達されるように、透明な材質からなる光窓３１ａが形成される。
【００２７】
定着ユニット４０は、用紙に熱と圧力を加えて可視画像を用紙に定着させるもので、可視画像を形成する現像剤が転写された用紙に熱を加える熱源４１を有する加熱ローラ４２と、加熱ローラ４２に対向して設置され、加熱ローラ４２と一定の定着圧力を維持させる加圧ローラ４３と、を備える。
【００２８】
排紙ユニット５０は、定着ユニット４０を通過した用紙を本体１０の外部に導くように順次に設置された一連の排紙ローラ５１を備える。
【００２９】
また、図２に示すように、露光ユニット３１の光窓３１ａの上部には光窓開閉装置７０が配置される。これは、アクセスドア６０が閉じた状態でのみ露光ユニット３１の光窓３１ａを開放し、露光ユニット３１からレーザービームを選択的に遮蔽することによって、アクセスドア６０が開く時や、使用者が本体１０の内部領域にアクセスしている時に、使用者に与えられる傷害のリスクを回避できるようにする。
【００３０】
光窓開閉装置７０には、本体１０の深さ方向（すなわち、前方から後方）に延設され、光窓３１ａの両側に配置される一対のスライドバー７１が備えられる。後ほど詳細に後述するが、スライドバー７１は、アクセスドア６０が開く時には第１開口１０ａ側に移動し、アクセスドア６０が閉じる時には反対側、すなわち、第１開口１０ａから遠ざかる側に移動するように、アクセスドア６０の開閉動作と連動して移動する。また、光窓カバー７２は、スライドバー７１のそれぞれに両端が結合することによってスライドバー７１と共に移動し、アクセスドア６０が開くときには光窓３１ａの上側に置かれて光窓３１ａを覆い、アクセスドア６０が閉じるときには光窓３１ａを覆わないことになる。また、弾性部材７３は、スライドバー７１を第１開口１０ａ側に弾性的に加圧する。
【００３１】
また、加圧バー７４は、一端がアクセスドア６０にヒンジ結合され、他端がスライドバー７１の端部と一列になるように整列され、アクセスドア６０が閉じるときにスライドバー７１を第１開口１０ａから遠ざかる方に押す。すなわち、加圧バー７４は、アクセスドア６０が閉じる過程でアクセスドア６０に作用する力の一部をスライドバー７１に伝達し、よって、スライドバー７１は第１開口１０ａから遠ざかるようになる。また、光窓カバー７２上には、光窓３１ａの表面を掃いて掃除するブラシ７５が取り付けられる。その結果、アクセスドア６０の開閉によって光窓３１ａがブラシ７５によって掃除される。
【００３２】
また、本実施形態による画像形成装置には、例えば、画像形成装置の運送中に、アクセスドア６０が閉じるときに感光体カートリッジ３２を定位置に固定させることによって、感光体カートリッジ３２が本体１０内で動くのを防止するロッキング部材７６が備えられている。
【００３３】
ロッキング部材７６は、スライドバー７１に回転可能に設置され、スライドバー７１が第１開口１０ａに近づく方向または遠ざかる方向に移動することによって回転し、感光体カートリッジ３２を定位置に固定するか固定解除するようになっている。図３に示すように、各ロッキング部材７６は、互いに所定角度でＶ字状を形成する１対の係止部材７６ａと、係止部材７６ａの連結部位において両側から外側に突出し、各スライドバー７１上に形成される弧状溝に回転可能に取り付けられるヒンジ部７６ｂと、を備える。なお、係合突起３１ｃは、スライドバー７１が第１開口１０ａに近づく方向または遠ざかる方向に移動することによってロッキング部材７６と相互作用し、ロッキング部材７６の回転を発生させることによって、ロッキング部材７６が感光体カートリッジ３２を定位置に固定するか固定解除するようにする。各係合突起３１ｃは、１対の係止部材７６ａのいずれか一方と係合または相互作用し、ロッキング部材７６を回転させる。本実施形態で、係合突起３１ｃは、露光ユニット３１の上部を覆って露光ユニット３１の上面を形成するカバープレート３１ｂの両端から突出して形成される。
【００３４】
上記のように構成された画像形成装置の動作について詳細に説明すると、下記の通りである。
【００３５】
まず、アクセスドア６０が閉じると、アクセスドア６０を閉じるのに作用する力の一部が加圧バー７４を通じてスライドバー７１に伝達され、スライドバー７１は弾性部材７３を加圧または変形させつつ第１開口１０ａから遠ざかる。このとき、スライドバー７１に結合されている光窓カバー７２はスライドバー７１の進行方向と同一方向に移動しつつ光窓３１ａを露出させ、露光ユニット３１からレーザービームが光窓３１ａを通じて感光体ドラム３２ａに照射されるような状態にする。このとき、ロッキング部材７６も、スライドバー７１と一緒に第１開口１０ａから遠ざかる方向に移動しつつ、１対の係止部材７６ａのうち第１開口１０ａに近接している係止部材７６ａが係合突起３１ｃと相互作用し、図３に示す水平延在位置に回転し、残りの係止部材７６ａは垂直に延在し、感光体カートリッジ３２を定位置に支持及び固定する。したがって、例えば、画像形成装置の運送中に、振動の可能性があっても、感光体カートリッジ３２がロッキング部材７６により定位置にしっかりと固定された状態を維持するので、感光体カートリッジ３２が本体１０内で動くことから起こりうる損害を防止することができる。
【００３６】
次に、図４に示すように、アクセスドア６０を開くと、加圧バー７４を介してスライドバー７１に伝達された力が解除されるので、図５に示すように、弾性部材７３の付勢力によってスライドバー７１は第１開口１０ａ側に移動する。したがって、スライドバー７１に設置されている光窓カバー７２は光窓３１ａを覆い、露光ユニット３１で発生したレーザービームが光窓カバー７２を超えて進行するのを防止する。また、光窓カバー７２に取り付けられたブラシ７５は、光窓３１ａの表面を掃き、光窓３１ａの上面についた異物、例えば、ホコリやトナー粒子などを光窓３１ａの上面から除去する。また、スライドバー７１が第１開口１０ａ側に移動する過程で、図６に示すように、第１開口１０ａから相対的に遠くに位置するロッキング部材７６は感光体カートリッジ３２から離脱し、感光体カートリッジ３２の固定が解除され、よって、感光体カートリッジ３２は本体１０から分離可能な状態となる。この第１開口１０ａから相対的に遠くに位置するロッキング部材７６は、分離されたン感光体カートリッジと相互しないような形で係合突起３１ｃと係合する。
【００３７】
図７は、本発明の他の実施形態に係る画像形成装置を示す。本実施形態による画像形成装置は、本体１０の前面に第２開口１０ｂが取り付けられており、この第２開口１０ｂを通って給紙引き出し２１が本体１０の内側及び外側に移動できるようになっている。
【００３８】
本実施形態による画像形成装置は、給紙引き出し２１が本体１０の内側及び外側に移動することによって、本体１０の内部に設置されている感光体カートリッジ３２のような消耗品を固定及び固定解除することができる。
【００３９】
本実施形態によれば、スライドバー７１は、給紙引き出し２１の本体１０の内側及び外側への移動に連動して第２開口１０ｂから遠ざかる方向にまたは近づく方向に移動する。前述の一実施形態と同様に、スライドバー７１上に設置されるロッキング部材７６は、スライドバー７１が移動し、消耗品が定位置に固定されるかまたは固定解除されるときに回転する。なお、上述の如く、スライドバー７１の一端は、弾性部材７３によって第２開口１０ｂ側に弾性的に加圧され、スライドバー７１の他端は、給紙引き出し２１から上方に突出して形成された加圧突起２１ｂと相互作用するように整列される。
【００４０】
図１〜図６を参照して上に説明した一実施形態と同様に、各ロッキング部材７６は、互いに所定角度でＶ字状を形成する１対の係止部材７６ａと、係止部材７６ａの連結部位において両側から外側に突出し、各スライドバー７１上に形成される弧状溝に回転可能に取り付けられるヒンジ部７６ｂと、を備える。本実施形態において、係合突起３１ｃは、本体１０に配置されて該本体１０の内側に突出し、それぞれ１対の係止部材７６ａのいずれか一方と係合し、ロッキング部材７６が回転するようにする。
【００４１】
したがって、給紙引き出し２１が第２開口１０ｂを通って本体１０の内部へ移動すると、給紙引き出し２１を移動させるのに作用する力の一部が、加圧突起２１ｂを介してスライドバー７１に伝達され、これにより、弾性部材７３が弾性変形されながらスライドバー７１は、第２開口１０ｂから遠ざかる方向に移動する。スライドバー７１が、第２開口１０ｂから遠ざかる方向に移動し続く過程で、第２開口１０ｂのより近くに形成された係止部材７６ａが係合突起３１ｃと係合してロッキング部材７６を回転させ、一方、第２開口１０ｂからより遠くに形成された係止部材７６ａは、感光体カートリッジ３２を定位置に支持及び固定する。
【００４２】
一方、図８に示すように、給紙引き出し２１が第２開口１０ｂを通って本体１０の外側に移動すると、加圧突起２１ｂを介してスライドバー７１に印加されていた力が解除され、したがって、弾性部材７３の弾性復元力によってスライドバー７１は第２開口１０ｂ側に移動する。スライドバー７１が引き続き第２開口１０ｂ側に移動すると、第２開口１０ｂのより遠くに形成されている係止部材７６ａが感光体カートリッジ３２から離脱し、感光体カートリッジ３２の固定を解除し、これにより、感光体カートリッジ３２は本体１０から分離可能な状態となる。
【００４３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００４４】
【図１】本発明の一実施形態に係る画像形成装置を示す断面図であり、ドアが閉じている状態を示す。
【図２】図１の画像形成装置においてドアが閉じている状態における光窓開閉装置を示す斜視図である。
【図３】図１に示すＩＩＩ部分の拡大図である。
【図４】図１の画像形成装置を示す断面図であり、ドアが開いている状態を示す。
【図５】図１の画像形成装置においてドアが開いている状態における光窓開閉装置を示す斜視図である。
【図６】図４に示すＶＩ部分の拡大図である。
【図７】本発明の他の実施形態に係る画像形成装置を示す断面図であり、画像形成装置の動作を示す。
【図８】本発明の他の実施形態に係る画像形成装置を示す断面図であり、画像形成装置の動作を示す。
【符号の説明】
【００４５】
１０      本体
１０ａ    第１開口
１０ｂ    第２開口
２０      給紙ユニット
２１      給紙引き出し
２１ａ    給紙トレー
２１ｂ    加圧突起
３０      現像ユニット
３１      露光ユニット
３１ａ    光窓
３１ｂ    カバープレート
３１ｃ    係合突起
４０      定着ユニット
５０      排紙ユニット
６０      アクセスドア
７０      光窓開閉装置
７１      スライドバー
７２      光窓カバー
７３      弾性部材
７４      加圧バー
７５      ブラシ
７６      ロッキング部材
７６ａ    係止部材
７６ｂ    ヒンジ部
【図１】
0005124370.tif 000002
【図２】
0005124370.tif 000003
【図３】
0005124370.tif 000004
【図４】
0005124370.tif 000005
【図５】
0005124370.tif 000006
【図６】
0005124370.tif 000007
【図７】
0005124370.tif 000008
【図８】
0005124370.tif 000009